(57)【要約】      （修正有）【課題】固定面に対して柱体を隣接させて立設固定する場合において、隣接する柱体同士を構造的に連携させることで、固定強度を高めることができる柱体固定構造を提供する。【解決手段】設置面に並んで立設される柱体であって、各柱体の底面にはボルトを通す穴１１が設けられた底面板１０が形成されるともに、隣接する柱体側に向かって張り出す板状の張り出し部２０が形成され、それぞれの張り出し部２０の先端面同士は接触または近接するとともに、当該先端面部分にボルトを通すことができるように、それぞれ先端面の対向する位置に切り欠き２１が形成された柱体と、前記設置面に固定される、前記各柱体の底面板１０の穴１１及び張り出し部２０先端面の各切り欠き２１を通るように配置されるアンカーボルト３０と、アンカーボルト３０に係合して、前記柱体の底面板１０及び張り出し部２０を締結するナット５０とから構成する。【選択図】図３
0003206870.tif 000002
【実用新案登録請求の範囲】
【請求項１】
設置面に並んで立設される柱体であって、各柱体の底面にはボルトを通す穴が設けられた底面板が形成されるともに、隣接する柱体側に向かって張り出す板状の張り出し部が形成され、それぞれの張り出し部の先端面同士は接触または近接するとともに、当該先端面部分にボルトを通すことができるように、それぞれ先端面の対向する位置に切り欠きが形成された柱体と、
前記設置面に固定される、前記各柱体の底面板の前記穴及び前記張り出し部先端面の前記各切り欠きを通るように配置されるアンカーボルトと、
前記アンカーボルトに係合して、前記柱体の底面板及び前記張り出し部を締結するナットと
を有する柱体固定構造。
【請求項２】
前記張り出し部の上面に当接する板体であって、前記張り出し部の切り欠きを通るアンカーボルトが通る穴が設けられた板体からなる固定板が、前記ナットによって当該アンカーボルトに固定されるとともに、当該固定板には、前記張り出し部の先端面に隣接する両側端面に当接又は近接する、下方に下垂するように形成される規制部が設けられる請求項１に記載の柱体固定構造。
【請求項３】
前記柱体は３本並んで配置されるものであって、中央の柱体から直交する方向に他の二本の柱体はそれぞれ立設され、中央の柱体には前記張り出し部が直交する方向に２箇所形成されるものである請求項１又は２に記載の柱体固定構造。
【考案の詳細な説明】
【技術分野】
【０００１】
本考案は、並んで配置される柱体の設置面に対する固定構造に関する。
【背景技術】
【０００２】
木造家屋は、地震や台風等の自然災害に対して倒壊等の危険があることから、近年木造家屋の一室に鉄骨を用いた強度に優れる耐震ルームを設置することが行なわれている。本願考案者も下記特許文献において、耐震ルームを開示している。
図１に下記特許文献に示される耐震ルームＲの外観を表す斜視図を示す。当該耐震ルームＲは木造家屋一階部分の一室にアンカーボルトを立設したコンクリートの基礎を打設し、アンカーボルトに支柱及び壁面パネルを固定し、上端側に鉄骨の梁を形成することで、箱状に形成されるものである。
下記特許文献における、図１のＡ部分の拡大図を図６に示す。図６は隣接して並んだ壁面パネルＰ、Ｐの縦方向の構造部材である縦梁Ｐb、Ｐbの底部と基礎との固定構造を示している。縦梁Ｐbは鉄製角パイプから構成され、底部に、底面にアンカーボルト３０を通す穴が設けられ、前面側が開放した板金からなる箱状体が溶接固定されている。縦梁Ｐbは、底面の穴にアンカーボルト３０を通してナット５０を締結することで、基礎に立設固定される。
次に、下記特許文献における、図１のＢ部分の拡大図を図７に示す。図７は支柱Ｃbの底部と基礎との固定構造を示している。支柱Ｃbも鉄製角パイプから構成され、互いに直交する壁面方向に突出するＬ字状の板金が底面に溶接されている。Ｌ字状の板金の互いに直交する方向に突出する板状部分にはそれぞれアンカーボルトを通す穴が形成され、当該穴にアンカーボルト３０を通してナット５０を締結することで、支柱Ｃbは基礎に立設固定される。
【先行技術文献】
【特許文献】
【０００３】
【特許文献１】特開２００６−８３５４０号公報
【考案の概要】
【考案が解決しようとする課題】
【０００４】
ところで、図６に示す壁面パネルの縦梁の基礎への固定はアンカーボルト１本のみで行なわれるので、若干強度に不安がある。また、図７に示す支柱の基礎への固定はアンカーボルト２本で行なわれているが、支柱が耐震ルームの内側に倒れるような力に対しては構造的にやや弱い。一方で、縦梁や支柱には隣接する縦梁が存在するので、これらを構造的に連携することで、固定強度を高めることができると考えられる。また、このような考え方は、耐震ルームに限らず、基礎等の固定面に柱体を固定する場合に適用可能である。
本考案は、このような観点から、固定面に対して柱体を隣接させて立設固定する場合において、隣接する柱体同士を構造的に連携させることで、固定強度を高めることを課題とする。
【課題を解決するための手段】
【０００５】
上記課題を解決するために、本考案は、次のような構成を有する。
請求項１に記載の考案は、設置面に並んで立設される柱体であって、各柱体の底面にはボルトを通す穴が設けられた底面板が形成されるともに、隣接する柱体側に向かって張り出す板状の張り出し部が形成され、それぞれの張り出し部の先端面同士は接触または近接するとともに、当該先端面部分にボルトを通すことができるように、それぞれ先端面の対向する位置に切り欠きが形成された柱体と、前記設置面に固定される、前記各柱体の底面板の前記穴及び前記張り出し部先端面の前記各切り欠きを通るように配置されるアンカーボルトと、前記アンカーボルトに係合して、前記柱体の底面板及び前記張り出し部を締結するナットとを有する柱体固定構造である。
請求項２に記載の考案は、前記柱体固定構造において、前記張り出し部の上面に当接する板体であって、前記張り出し部の切り欠きを通るアンカーボルトが通る穴が設けられた板体からなる固定板が、前記ナットによって当該アンカーボルトに固定されるとともに、当該固定板には、前記張り出し部の先端面に隣接する両側端面に当接又は近接する、下方に下垂するように形成される規制部が設けられるものである。
請求項３に記載の考案は、前記柱体固定構造において、前記柱体は３本並んで配置されるものであって、中央の柱体から直交する方向に他の二本の柱体はそれぞれ立設され、中央の柱体には前記張り出し部が直交する方向に２箇所形成されるものである。
【考案の効果】
【０００６】
以上のような構成により、本考案は、次のような効果を奏する。
請求項１に記載の考案は、隣接する柱体同士の底面から互いに向かって張り出す張り出し部がアンカーボルトによって固定されるので、柱体の底面のみがアンカーボルトに固定する場合に比較して固定強度を高めることができる。
請求項２に記載の考案は、張り出し部の上面を固定板で押さえ、さらに張り出し部の両側の端面を固定板の規制部で固定することで、相対する張り出し部同士をしっかりと固定することができるので、張り出し部同士が分離したり、ずれたりすることを抑制でき、張り出し部部分の固定強度をより高めることができる。
請求項３に記載の考案は、角部に本固定構造を用いる場合に、中央の柱体を角部に位置づけることで、中央の柱体の張り出し部は両側の柱体の張り出し部とともにアンカーボルトによって固定されるとともに、柱体底面もアンカーボルトによって固定されるので、従来の固定方法に比較して、角部の柱体をより強固に固定面に固定することができる。
【図面の簡単な説明】
【０００７】
【図１】耐震ルームの一例を示す斜視図である。
【図２】実施形態に係る隣接する壁面パネルの縦梁下端近傍の固定構造を示す一部破断斜視図である。
【図３】実施形態に係る隣接する壁面パネルの縦梁下端近傍の固定構造を示す一部破断分解斜視図である。
【図４】実施形態に係る角部の支柱近傍の固定構造を示す一部破断斜視図である。
【図５】実施形態に係る角部の支柱近傍の固定構造を示す一部破断分解斜視図である。
【図６】従来の壁面パネルの縦梁下端近傍の固定構造を示す一部破断斜視図である。
【図７】従来の壁面パネルの角部の支柱近傍の固定構造を示す一部破断斜視図である。
【考案を実施するための形態】
【０００８】
以下、本考案の実施の形態について、図面を参照しながら説明する。
本実施形態に係る柱体固定構造は前記先行技術文献と同様に図１に示す外観を有する耐震ルームＲに用いられるものである。
まず、壁面パネルＰを構成する縦梁の固定構造について説明する。図１に示す耐震ルームＲにおける隣接する壁面パネルＰ、Ｐの縦梁Ｐa、Ｐａの下端近傍であるＡ部分の一部破断拡大斜視図を図２に示し、図３に当該部分の一部破断拡大分解斜視図を示す。
壁面パネルＰの縦梁Ｐａは鉄製角パイプから構成され、底面にアンカーボルトを通す穴が設けられ、前面側が開放した板金からなる箱状体が、底部に溶接固定されている。当該箱状体を構成する底面板１０は、隣接する縦梁Ｐａ側に張り出す長方形状の張り出し部２０が設けられる。張り出し部２０の張り出す幅は、隣接する縦梁Ｐａの各張り出し部２０の先端同士が接触するか、若しくは、近接する長さに設定される。底面板１０には基礎Ｂに立設されるアンカーボルト３０が通る穴１１が形成される。また、張り出し部２０同士が付き合う先端には半円状の切り欠き２１が相対する位置に設けられ、隣接する切り欠き２１同士が向き合うことで円形になるように形成される。この円形部分はアンカーボルト３０が通る大きさに設定される。
【０００９】
アンカーボルト３０は、隣接する壁面パネルＰの縦梁Ｐa、Ｐａ部分においては３本並んで基礎Ｂに立設固定される。両側のアンカーボルト３０同士は、隣接する各縦梁Ｐa、Ｐａの底面板１０の穴１１が通ったときに、それぞれの張り出し部２０同士の先端が接触もしくは近接するような距離を有するように設けられ、中央のアンカーボルト３０は向き合う各張り出し部２０の切り欠き２１により形成される円形部分に通る位置に設けられる。
張り出し部２０の上面には固定板４０が固定される。固定板４０は、隣接する縦梁Ｐａ、Ｐａの間に嵌る幅を有し、当該幅方向に平行な両端縁が、張り出し部２０の先端面に隣接する両側端面に内面が接触又は近接する規制部４１を形成するように下方に折り曲げられており、張り出し部２０上面に嵌ったときに中央のアンカーボルト３０が通ることができる穴４２が設けられている。規制部４１は、張り出し部２０上面に固定された状態で、端面が基礎Ｂに近接する程度の長さに設定される。
【００１０】
以上のような構成要素からなる壁面パネルＰの縦梁Ｐａ同士の基礎への固定構造を組み立てるには、まず、隣接する縦梁Ｐａ、Ｐａの底面板１０の穴１１に両側のアンカーボルト３０を通し、ナット５０、ワッシャー６０をこれらのアンカーボルト３０に係合させて底面板１０を基礎Ｂに締結固定する。この状態において、各張り出し部２０の切り欠き２１は円形に形成され、中央のアンカーボルト３０がこの円形部分から突出する状態となる。次に、この中央のアンカーボルト３０に固定板４０を通して両張り出し部２０の上面に当接させ、ナット５０、ワッシャー６０を中央のアンカーボルト３０に係合させて、固定板４０、張り出し部２０を基礎Ｂに締結固定することで、図２のような状態に組みあがる。この状態で固定板４０の規制部４１は両張り出し部２０の両側縁に近接又は接触した状態となる。
壁面パネルＰの縦梁Ｐａ、Ｐａの基礎Ｂに対する固定構造は、上述した構成を有することで、単純に一つの縦梁Ｐａを一本のアンカーボルトで固定する場合に比較して、張り出し部２０部分が固定されることでより固定を強固にすることができる。さらに、張り出し部２０部分が固定板４０によって側方への動きが規制されることで、例えば縦梁Ｐａを捻るような力に対しても耐性を高めることができる。  
【００１１】
次に、角部を構成する支柱の固定構造について説明する。図１に示す耐震ルームＲにおける角部の支柱Ｃの下端近傍であるＢ部分の拡大斜視図を図４に示し、図５に当該部分の拡大分解斜視図を示す。
角部の支柱Ｃの両側には互いに直交するように壁パネルＰが設けられ、壁パネルＰの縦梁Ｐａが近接して固定される。縦梁Ｐａは上述した縦梁Ｐａと同じであり底面板１０にアンカーボルト３０が通る穴１１が形成され、支柱Ｃ方向に張り出すように、切り欠き２１を有する張り出し部２０が設けられている。支柱Ｃと各縦梁Ｐａとの距離は、図２における縦梁Ｐａ同士の距離と同じに設定される。
支柱Ｃは、鉄製角パイプから構成され、底部に、前面側が開放し、底面にアンカーボルトを通す穴が設けられた、板金からなる箱状体が溶接固定されている。当該箱状体を構成する底面板１０Aは、二方向に隣接する縦梁Ｐａのそれぞれに向かって張り出す長方形状の張り出し部２０Aが直交する方向に二つ設けられる。各張り出し部２０Aの張り出す幅は、隣接する縦梁Ｐａの張り出し部２０の先端と先端とが接触するか、近接する長さに設定される。底面板１０Aには基礎Ｂに立設されるアンカーボルト３０が通る穴１１Aが形成さる。また、張り出し部２０Aの先端には半円状の切り欠き２１Aが設けられ、隣接する縦梁Ｐａの張り出し部２０の切り欠き２１と向き合うことで円形になるように形成される。なお、張り出し部２０Aは、縦梁Ｐaの張り出し部２０と相似な形状に形成される。
【００１２】
アンカーボルト３０は、壁面パネルＰの縦梁Ｐa、Ｐａが隣接する角部の支柱部分においては角部に位置する中央のアンカーボルト３０とこれに直交する方向に２本ずつ並ぶアンカーボルト３０の合計５本が並んで基礎Ｂに立設固定される。中央のアンカーボルト３０と最も端部のアンカーボルト３０とは、支柱Ｃの底面板１０Aの穴１１Aに中央のアンカーボルトが通り、隣接する縦梁Ｐaの底面板１０の穴１１に端部のアンカーボルトが通ったときに、互いに向き合う、支柱Ｃの張り出し部２０Aと縦梁Ｐaの張り出し部２０との先端が接触もしくは近接するような距離を有するように設けられる。中央のアンカーボルト３０と端部のアンカーボルト３０との間に位置するアンカーボルト３０は互いに向き合う、支柱Ｃの張り出し部２０Aの切り欠き２１Aと縦梁Ｐaの張り出し部２０の切り欠き２１とにより形成される円形部分に通る位置に設けられる。
なお、２箇所の張り出し部２０の上面には固定板４０が固定されが、これは上述した図１、２に示す固定板４０と同じなので説明は省略する。
【００１３】
以上のような構成要素からなる角部の支柱と隣接する縦梁Ｐａの基礎に対する固定構造を組み立てるには、まず、支柱Ｃの底面板１０Aの穴１１Aに中央のアンカーボルト３０を通すとともに、支柱Ｃに隣接する縦梁Ｐａ、Ｐａの底面板１０の穴１１に両端部のアンカーボルト３０に通し、ナット５０、ワッシャー６０をこれらのアンカーボルト３０に係合させて支柱Ｃの底面板１０A、縦梁Ｐaの底面板１０を基礎Ｂに締結固定する。この状態において、支柱Ｃの張り出し部２０Aの切り欠き２１Aと縦梁Ｐaの張り出し部２０の切り欠き２１とは合わさって円形に形成され、中央のアンカーボルト３０と端部のアンカーボルト３０との間に位置するアンカーボルト３０がこの円形部分から突出する状態となる。次に、この切り欠き２１A、２１部分から突出するアンカーボルト３０に固定板４０を通して支柱Ｃの張り出し部２０Aと縦梁Ｐaの張り出し部２０の上面に当接させ、ナット５０、ワッシャー６０を切り欠き２１A、２１部分から突出するアンカーボルト３０に係合させて、固定板４０、張り出し部２０A、２０を基礎Ｂに締結固定することで、図４のような状態に組みあがる。この状態で固定板４０の規制部４１は張り出し部２０A、２０の両側縁に近接又は接触した状態となる。
角部の支柱Ｃとこれに隣接する縦梁Ｐａ、Ｐａの基礎Ｂに対する固定構造は、上述した構成を有することで、支柱Ｃの底面に設けた張り出し部をアンカーボルトで固定する場合に比較して、支柱Ｃ底面と張り出し部２０Aの両方がアンカーボルトによって固定されるので、支柱Ｃを内側に対すような力に対する耐性を高めることができる。さらに、張り出し部２０部分が固定板４０で側方への動きが規制されることで、やはり支柱Ｃを捻るような力に対しても耐性を維持することができる。
【００１４】
なお、上記実施形態では隣接する壁面パネルＰ、Ｐの縦梁Ｐａ、Ｐａや、角部の支柱Ｃとこれに隣接する壁面パネルＰ、Ｐの縦梁Ｐａ、Ｐａとによる基礎に対する固定構造を例示したが、柱体が隣接するような構造であれば、本考案に係る固定構造を実現できるので、一枚のみの壁面パネルＰの縦梁Ｐａの横に縦梁Ｐａと同じ構造を有する柱体を固定するようにしたり、支柱Ｃの両側に縦梁Ｐａと同じ構造を有する柱体を固定するようにすることでも、本考案に係る固定構造を形成することができる。また、上記実施形態では、耐震ルームの構成要素として柱体の固定構造を示したが、本固定構造は耐震ルームに限定されるものではなく、設置面に柱体を並べて立設する多様な構造物に適用することができる。
【符号の説明】
【００１５】
Ｒ  耐震ルーム
Ｃ、Ｃｂ  支柱
Ｐ  壁面パネル
Ｐａ、Ｐｂ  縦梁
Ｂ  基礎
１０、１０A  底面板
１１、１０A  穴
２０、２０A  張り出し部
２１、２１A  切り欠き
３０  アンカーボルト
４０  固定板
４１  規制部
４２  穴
５０  ナット
６０  ワッシャー
【図１】
0003206870.tif 000003
【図２】
0003206870.tif 000004
【図３】
0003206870.tif 000005
【図４】
0003206870.tif 000006
【図５】
0003206870.tif 000007
【図６】
0003206870.tif 000008
【図７】
0003206870.tif 000009